(57)【特許請求の範囲】
【請求項１】
主要部である平坦部の一端を下方に折曲げて形成した前面部の下端を内方に折曲げて底面部を形成すると共に、該前面部の表面上端に水切突部を設け、該底面部の内端を斜上方に立上がらせて支持部を形成し、また、該平坦部の他端を上方に折曲げて形成した立上部を外方に略水平に折曲げてなる受棚部の端部を上方に折曲げて前記平坦部側に湾曲させた湾曲部を設け、該湾曲部の内面に設けた内周面の上方端部に突起部を形成した該湾曲部の上部には弧状連結部を介して前記受棚部と平行な掛止片を設けたアルミ押出成形材からなる屋根板と、
中央部から立上がらせた支持板を一側に折曲げた平面板の先端を下方に折曲げて形成した垂下片の下端に受止片を設けた吊子とからなり、
前記吊子の受止片に掛止片を掛止させて取付けた一方の屋根板の受棚部上に他方の屋根板の底面部を載置し、該底面部に連続した支持部の先端を一方の屋根板の湾曲部の内周面に当接させ、該底面部の先端角部を支点にして限られた範囲で他方の屋根板を回動可能に接続させることを特徴とする屋根板の接続装置。
【請求項２】
前記支持部の先端が、円弧状の摺動部を設けてあることを特徴とする請求項１記載の屋根板の接続装置。
【請求項３】
前記湾曲部の内周面が、約３０度の範囲に形成したことを特徴とする請求項１記載の屋根板の接続装置。
【発明の詳細な説明】
【０００１】
本発明は、改良型のアルミ押出成形材を用いてア−チ状屋根の施工を可能にする屋根板の接続装置に関するものである。
【０００２】
【従来の技術】
従来、長尺のアルミ押出成形材を用いて形成した屋根部材１を使用して工場や体育館等の大型屋根の屋根葺きを行う場合、同一形状をした複数の屋根板材を順に接続しながら施工している。これらの大型屋根は、強度を保つためア−チ形に形成する場合が多い。しかし、ア−チ形の屋根をアルミ押出成形材で形成した従来の屋根板材を用いて屋根葺きを行うと、該アルミ押出成形材からなる屋根板材は通常の屋根板材に比べて厚みを有するため変形しにくい。さらに、屋根葺きする際、屋根板材の接合部分に無理な力が加わるため、該接合部分が撓んだり、歪んだりして隙間が出来やすく、該隙間から雨水が浸入して雨漏りの原因となる等の欠点を有している。
【０００３】
図１に示す如く、一方の屋根板材１ａの基板２の一端に係合凹部３を設け、他端には他の屋根板材１ｂの係合凹部３に係合させる係合突部７を形成する。前記係合凹部３の中間部分には、約１８０度の範囲に円弧を形成した湾曲部４と、該湾曲部の下辺を下方に傾斜させて広げた下縁部５を形成し、他の屋根板材１ｂの下辺部８の端部に連続した係合突部７をなす立壁部９は、前記湾曲部４の内周面を摺動しながら接続する。そのため、該立壁部９が回動して接続部分の歪みを防いでいる。
【０００４】
上記の接続装置は、一方の屋根板材１ｂの立壁部９の上端および下端を、他方の屋根板材１ａの湾曲部４の内周面に当接しながら回動させるため、屋根板材の取付角度を屋根のア−ル面に沿って調節でき、各屋根板材の接続部分に無理な力が作用しないようにして屋根葺きを行うものである。
【０００５】
【発明が解決しようとする課題】
図１に示すように、一方の屋根板材１ａの一端に形成した係合凹部の湾曲部４は、約１８０度にわたって円弧に形成してあり、該湾曲部の下縁部５を下方に傾斜させて形成してある。他方の屋根板材１ｂの立壁部９が該湾曲部の内周面に当接しながら回動することにより、一方の屋根板材１ｂを接続してア−チ状の屋根を形成するため角度調節を行う。ここで、湾曲部４の内周面に対して立壁部９の上下両端の二点で接触するため、係合凸部７を支える支点が一定せず、また、立壁部９が下縁部５に沿って下方向に滑りやすい。そのため、立壁部９が滑ると下縁部５の下方に移動し、該立壁部９の上下両端と湾曲部４の円弧面との接触位置が一定しない結果、屋根葺き作業が困難となって作業能率が悪いという問題点を有していた。
本発明は、互いの屋根板の接合作業時に屋根板の接合部分を回動可能に連結し、アルミ押出成形材からなる屋根板を用いてア−チ状をした屋根葺きを行うことを目的とする。
【０００６】
【課題を解決するための手段】
本発明は、主要部である平坦部の一端を下方に折曲げて形成した前面部の下端を内方に折曲げて底面部を形成すると共に、該前面部の表面上端に水切突部を設け、該底面部の内端を斜上方に立上がらせて支持部を形成し、また、該平坦部の他端を上方に折曲げて形成した立上部を外方に略水平に折曲げてなる受棚部の端部を上方に折曲げて前記平坦部側に湾曲させた湾曲部を設け、該湾曲部の内面に設けた円周面の上方端部に突起部を設けた該湾曲部の上部には弧状連結部を介して前記受棚部と平行な掛止片を設けたアルミ押出成形材からなる屋根板と、中央部から立ち上がらせた支持板を一側に折曲げた平面板の先端を下方に折曲げて形成した垂下片の下端に受止片を設けた吊子とからなり、前記吊子の受止片に掛止片を掛止させて取付けた一方の屋根板の受棚部上に他方の屋根板の底面部を載置し、該底面部に連続した支持部の先端を一方の屋根板の湾曲部の内周面に当接させ、該底面部の先端角部を支点に限られた範囲で他方の屋根板を回動可能に接続させることを特徴とする。また、本考案に係る前記支持部の先端が、円弧状の摺動部を設けたことを特徴とする。さらに、本考案に係る前記湾曲部の内周面が、約３０度の範囲に形成したことを特徴とするものである。
【０００７】
一方の屋根板の受棚部上に他方の屋根板の底面部の先端角部を支持させ、他方の屋根板の支持部の先端を一方の屋根板に設けた湾曲部の内周面に回動可能に当接させ、前記支持部を回動させて屋根板どうしの接続する角度を調整しても該接続部に無理な力が加わることがなく、該接合部分が歪んだり変形したりすることがないものである。
【０００８】
【発明の実施の形態】
本発明の実施の形態を図２に基づいて説明すると、１２はアルミ合金材を押出成形して同一断面形状に形成した屋根板で、主要部分である平坦部１３の左端に円弧状の折曲部１４を介して下方に前面部１５を設け、該前面部の上端には前方に突出した水切突部１６を形成し、平坦部１３から流下する雨水の該前面部１５からの水切れを良好にしている。この前面部１５の下端に設けた下部折曲部１７を介して内側に略直角に折曲げて平坦な底面部１８を形成し、該底面部の先端に形成した先端角部１９を介して上方に略直角に折曲げて樹立部２０を設け、該樹立部２０の上端を斜め上方に傾斜させて支持部２１を形成してある。
【０００９】
この屋根板１２の平坦部１３の右端を上方に折曲げて形成した立上部２５の上端を右側に略水平に折り曲げて受棚部２６を形成し、この受棚部２６の先端を略直角に上方に折り曲げて立上壁部２７を設けてある。この立上壁部２７の上部に連続して、前記平坦部１３側に湾曲させて湾曲部２８を形成し、該湾曲部の内側に設けた内周面２８ａの上端に、下方に突出させた突起部２８ｂを形成してある。さらに、該湾曲部の上端に連続して斜上方に形成した弧状連結部２９の先端には、前記受棚部２６と平行な掛止片３０を設けてある。
【００１０】
３５は吊子で、基体３６の略中央部から上方に立ち上がらせて形成した支持板３７の上端を一方に略直角に折曲げて平面板３８を形成し、該平面板の先端を下方に折曲げて形成した垂下片３９の下端を手前側に折曲げて受止片４０を設けてある。吊子の基体３６の一側には、上方に突出させて載置部４２を設け、該基体の右側にはボルト穴等を形成する目印となるＶ溝４３を形成してある。尚、図中４５はア−チ状をした屋根下地である。
【００１１】
本発明の実施例の作用を図３、４に基づいて説明すると、吊子３５を略ア−チ状に形成した屋根下地４５上の所定位置に取付け、該吊子の受止片４０に一方の屋根板１２ａの右端上方に設けた掛止片３０を掛止させると共に、該屋根板の立上部２５の下端を吊子３５の載置部４２上に位置して取付けてある。この場合、該屋根板の湾曲部２８ａと掛止片３０とが弧状連結部２９で連結してあるので、該屋根板の掛止片３０を吊子３５の受止片４０に掛止させる場合、該弧状連結部２９が撓んでスム−スに掛止片４０に掛止することができる。
【００１２】
一方屋根板１２ａの受棚部２６上に、他方の屋根板１２ｂの底面部１８を載置し、該屋根板を図３の矢印Ａ方向に移動させると、支持部２１の先端に設けた円弧状の摺動部２２が、該湾曲部２８の内周面２８ａの上方端部に設けた突起部２８ｂに一時掛止する。該屋根板１２ｂをさらに矢印Ａ方向に移動させると、該摺動部２２が突起２８ａを通過して内周面２８ａ内に位置させる。この際、摺動部２２が突起２８ｂを通過した際に生じるショックを該屋根板を保持している作業員が体で感じることができ、屋根板どうしが接続したことを確認できる。また、支持部２１の先端が円周面２８ａから脱出しようとしても円周面２８ａの上方端部に設けた突起部２８ｂがストッパ−になるため、他方の屋根板の脱出を防止することができる。
【００１３】
他方の屋根板１２ｂの左端に位置する支持部２１の先端に設けた円弧状の摺動部２２を、屋根板１２ａの湾曲部２８の内周面２８ａに当接させ、且つ、底面部２８の先端角部１９を支点にして該支持部２０を時計方向に回動させる。即ち、図４に示すように、直線Ｌは従来の直線状をした屋根下地面を示すものであるが、ア−チ状の屋根を形成するにはア−チ状をした屋根下地４５上に各屋根板を取付けるため、図３に一点鎖線で示した屋根板１２ｂの右端を実線で示すように下方に回動させなければならない。この場合、屋根板１２ｂの支持部２１は、屋根板１２ａの湾曲部２８の円周面２８ａに接しながら無理な力を加えることなく回動することができるので、互いに接続する屋根板の接合部分が、撓んだり、歪んだりせずに屋根葺きできる。
【００１４】
支持部２０の下方に設けた樹立部２０下端の先端角部１９が受棚部２６上に接し、該先端角部１９を支点に、屋根板１２ｂの右端を図３の矢印Ｂ方向に降下させると、支持部２０は先端角部１９を支点にして湾曲部の内周面２８ａを半径Ｘで円周距離Ｙ移動する。この場合、支点である先端角部１９は移動しないため、簡単に屋根葺き作業を行うことができる。また、湾曲部２８の内周面２８ａの距離を先端角部１９を支点に約３０度の範囲で回動できるようにしたため、最小直径、約２ｍのア−チ状屋根の屋根葺きを行うことも可能である。
【００１５】
屋根板の平坦部１３を落下する雨水は、前面部１５の上端に設けた水切突部１６により、該前面部１５から水切りされるため受棚部２６と底面部１８の間の隙間から毛細管現象により雨水が浸入することが少ない。特に、図３に実線で示すように、ア−チ状にするためには屋根板１２ｂを時計方向に回動させて、受棚部２６と底面部１８との間が広がるので該前面部の水切れをよくすることが好ましい。また、雨水が浸入した場合、底面部１８の先端に樹立部２０を介して斜状の支持部２１を設け、該底面部１８と支持部２１との間に大きな空間部を有したため、毛細管現象を遮断して雨水の浸入を防ぐことができる。
【００１６】
この前面部１５の上部には水切突部１６を設けて肉厚構造にしたため、該屋根板１２の前面部１５にあたかも補強リブを設けた状態となり、屋根板１２の前面部１５の強度を一段と高め、台風等による屋根板の破損に対する耐久性を一段と高めることができるものである。
【００１７】
【発明の効果】
本発明は、一方の屋根板の一端に設けた湾曲部に他方の屋根板の支持部の受棚部の先端を当接させ、且つ、該支持部の支点を一方の屋根板の受棚部上に位置させて当該屋根板の先端角部を支点にして互いの屋根板の接合部分の摩擦抵抗が少なくスム−ズに回動させることができるので、接合部分がずれたり、撓んだりすることなくア−チ状の屋根葺きを能率よく行うことができる。
その上、前面部の上端に水切突部を設けて該前面部の水切りを良好にすると共に、湾曲部の内周面の上方端部に突起部を設けてあるので、他方の屋根板の支持部の先端が通過する際に作業者が体で感じることができるし、また、該突起部が他方の屋根板の支持部の脱出を防止する機能も有するため、屋根葺き作業を容易に行うことができる。
さらに、本発明に係る屋根板を用いることにより、通常の屋根葺きを行うこともできるし、また、ア−チ状の屋根葺きを行うこともできる利点を有している。
【図面の簡単な説明】
【図１】従来のア−チ型屋根の屋根葺きに使用する屋根板の接合部分を示した要部拡大断面図である。
【図２】本発明にかかる屋根板の端面図である。
【図３】吊子を用いて屋根下地に取付けた屋根板の接続状態を示す要部の拡大断面図である。
【図４】屋根板を用いてア−チ状の屋根を形成する状態を示す説明図である。
【符号の説明】
１２    屋根板
１３    平坦部
１５    前面部
１６    水切突部
１８    底面部
１９    先端角部
２１    支持部
２５    立上部
２６    受棚部
２７    立上壁部
２８    湾曲部
２８ａ  内周面
２８ｂ  突起部
２９    弧状連結部
３０    掛止片
３５    吊子
４０    受止片
【図１】
0003658474.tif 000002
【図２】
0003658474.tif 000003
【図３】
0003658474.tif 000004
【図４】
0003658474.tif 000005